(57)【特許請求の範囲】
【請求項１】
樹脂で形成され、互いに径の異なる複数のテーパ部を組み合わせて先端に向かって径が小さくなるよう成形されたギアピンと、このギアピンに挿入され、樹脂で形成された前記ギアピンのテーパ部に対応した複数のテーパ部を有するピン挿入穴を設けたギアとを具備し、前記ギアピンは、前記ピン挿入穴の最小内径よりも大きな最小外径を有したテーパ部を備えたことを特徴とするギア装置。
【請求項２】
ギアピンが、樹脂の成形によって形成された記録装置用のシャーシに一体に形成されていることを特徴とする請求項１記載のギア装置。
【発明の詳細な説明】
【０００１】
【発明の属する技術分野】
本発明はプリンタ、ファクシミリ、複写機等の記録装置に用いるのに好適なギア装置に関し、特に樹脂製のギア装置に関する。
【０００２】
【従来の技術】
従来、プリンタ等の記録装置において多数のギアが用いられており、ギアピンに回転自在に保持された樹脂製のギアも知られている。ギアを保持するためのギアピンは金属で作られており、記録装置内のシャーシにねじ止め等によって固定されていた。
【０００３】
【発明が解決しようとする課題】
しかし、金属製のギアピンは高価であると共にシャーシに対する取り付け作業を必要とし、コストアップにつながるという問題があった。
【０００４】
そこで、ギアピンのコストダウンを図るため、ギアピンをシャーシと一体に樹脂の成形で作ることが考えられ、これを実施したところ次の問題が生じることが判明した。
【０００５】
すなわち、ギアピンを樹脂の成形で製造した場合、ギアピンは型から抜いて作るため、ギアピンを軸線方向に一定直径となるように作ることが困難で、必ず、１〜３°程度の抜きテーパを付けており、図２（ａ）に誇張して示すように、シャーシ１と一体に形成されたギアピン２は先端側が小径となったテーパを有している。同様に、樹脂製のギア３も、ピンを挿入するためのピン挿入穴４には抜きテーパを付けている。このピン挿入穴４に形成するテーパの向きは、ギアピン２のテーパの向きと一致するように設定されており、ギアピン２にギア３を正しく装着した時にはギアピン２とギア３の穴のテーパが同一方向となり、ギア３はギアピン２に安定して回転可能に保持されることとなる。ところが、ギア３をギアピン２に取り付ける際に誤ってギア３の向きを逆にすることがあり、その場合にも、テーパが小さいので図２（ｂ）に示すように、ギア３を強引に押し込むことによってギア３がギアピン２の根元まで挿入され、一見正常に取り付けられたように見える。しかし、この場合にはギア３のピン挿入穴４の径の小さい部分がギアピン２の径の大きい根元に強引に入る状態となるので、ギア３が回転する場合に矢印で示すようにギア３が中心軸に対してがたつくことがあり、また、これが負荷となってギアの回転がロックすることがあるという問題が生じた。
【０００６】
本発明はかかる問題点を解決すべくなされたもので、樹脂製のギアピンに樹脂製のギアを取り付ける際に、取り付け方向を誤ってトラブルを起こすということのないギアピンとギアとを備えたギア装置を提供することを目的とする。
【０００７】
【課題を解決するための手段】
本発明は上記問題点を解決するため、樹脂で形成され、互いに径の異なる複数のテーパ部を組み合わせて先端に向かって径が小さくなるよう成形されたギアピンと、このギアピンに挿入され、樹脂で形成された前記ギアピンのテーパ部に対応した複数のテーパ部を有するピン挿入穴を設けたギアとを具備し、前記ギアピンは、前記ピン挿入穴の最小内径よりも大きな最小外径を有したテーパ部を備えたものである。この構成によりギアのピン挿入穴のテーパとギアピンのテーパの向きとが一致しない場合には、ギアのピン挿入穴にギアピンを挿入しても、ギアが途中で止まり、根元まで挿入されないので、挿入方向が逆であることがわかり、このためギアの逆挿入を防止でき、使用中にギアがロックするという状態を回避できる。
【０００８】
【発明の実施の形態】
本発明の一つの実施の形態は、樹脂で形成され、互いに径の異なる複数のテーパ部を組み合わせて先端に向かって径が小さくなるよう成形されたギアピンと、このギアピンに挿入され、樹脂で形成された前記ギアピンのテーパ部に対応した複数のテーパ部を有するピン挿入穴を設けたギアとを具備し、前記ギアピンは、前記ピン挿入穴の最小内径よりも大きな最小外径を有したテーパ部を備えたものである。このようにギアピンに、ピン挿入穴の最小内径よりも大きな最小外径を有したテーパ部を備えたことにより、ギアピンに対するギアの取り付け方向が逆となった場合には、ギアピンの所定位置までギアを挿入できず、このため逆挿入を防止でき、樹脂製のギアピンを支障なく使用してコストダウンを図ることができる。
【０００９】
本発明の他の実施形態では、ギアピンを、樹脂の成形によって形成される記録装置用のシャーシに一体に形成している。この構成により、ギアピンのシャーシに対する取り付け作業が不要となり、一層コストダウンを図ることができる。
【００１０】
以下、図面に示す実施例を説明する。図１（ａ）は本発明の実施例によるギア装置を、組立前の状態で示す概略断面図、図１（ｂ）はそのギア装置を、ギアピンにギアを正しく取り付けた状態で示す概略断面図、図１（ｃ）はそのギア装置を、ギアピンにギアを逆に挿入しようとした時の状態で示す概略断面図である。１１はファクシミリ等の記録装置に用いるシャーシ、１２はそのシャーシ１１と一体に形成されたギアピンである。これらのシャーシ１１及びギアピン１２は樹脂の成形によって一体に作られており、これによりコストダウンが図られている。ギアピン１２には先端に向かって径が小さくなるような２段階のテーパ部１２ａ、１２ｂが形成されており、両者の境界に段部１２ｃが形成されている。各テーパ部１２ａ、１２ｂに形成するテーパは、成形時の型抜きを容易に行うことができるよう設けるものであり、通常１〜３°程度でよい。１３は樹脂製のギアであり、ギアピン１２を挿入させるためのピン挿入用穴１４を備えている。このピン挿入用穴１４にもギアピン１２の２段階のテーパ部１２ａ、１２ｂに対応して、２段階のテーパ部１４ａ、１４ｂが形成されている。ここで、ギアピン１２の径が大きい側のテーパ部１２ａの最小外径は、製作誤差があってもピン挿入用穴１４の最小内径よりも大きくなるように設定されている。
【００１１】
上記構成のギア装置では、図１（ｂ）に示すように、ギアピン１２に対してギア１３が、ピン挿入穴１４の大径側のテーパ部１４ａがギアピン１２の大径側のテーパ部１２ａに嵌合するように取り付けられ、これによりギアピン１２でギア１３を安定して回転可能に保持できる。ところで、作業者がギア１３をギアピン１２に対して取り付ける際に誤ってギア１３の取り付け方向を逆にすることがある。その場合には、図１（ｃ）に示すように、ギア挿入穴１４の最小内径の部分からギアピン１２に挿入されるため、その最小内径の部分がギアピン１２の段部１２ｃにぶつかってそれ以上に挿入することはできず、このため、ギア１３がギアピン１２に対して根元まで挿入されない。これにより、作業者はギア１３が正しく挿入されていないことを直ちに知ることが出来、取り付け方向を正しく修正することができる。かくして、ギア１３は常にギアピン１２に対して正しい方向に取り付けられることとなり、使用中、ギア１２は円滑に回転し、ロックする等のトラブルを生じることがない。
【００１２】
なお、上記実施例ではピン１２及びピン挿入穴１４に２段階のテーパ部を形成しているが、テーパ部は３段階以上としてもよいことはいうまでもない。
【００１３】
【発明の効果】
以上の説明から明らかなように、本発明は、樹脂で形成され、互いに径の異なる複数のテーパ部を組み合わせて先端に向かって径が小さくなるよう成形されたギアピンと、このギアピンに挿入され、樹脂で形成された前記ギアピンのテーパ部に対応した複数のテーパ部を有するピン挿入穴を設けたギアとを具備し、前記ギアピンは、前記ピン挿入穴の最小内径よりも大きな最小外径を有したテーパ部を備えたことにより、ギアピンに対するギアの取り付けの際に、その取り付け方向が誤って逆となった場合にはギアがギアピンの途中位置で止まり、根元まで挿入されないので、挿入方向が逆であることがわかり、このためギアの逆挿入を防止して使用中にギアがロックするという状態を回避でき、樹脂製のギアピンとギアとを安定して使用することができ、コストダウンを図ることができるという効果を有している。
【００１４】
ここで、前記ギアピンを、樹脂の成形によって形成される記録装置用のシャーシに一体に形成した構成とすると、ギアピンのシャーシに対する取り付け作業が不要となり、一層コストダウンを図ることができるという効果が得られる。
【図面の簡単な説明】
【図１】（ａ）は本発明の実施例によるギア装置を組立前の状態で示す概略断面図
（ｂ）はそのギア装置を、ギアピンにギアを正しく取り付けた状態で示す概略断面図
（ｃ）はそのギア装置を、ギアピンにギアを逆に挿入しようとした時の状態で示す概略断面図
【図２】（ａ）は樹脂製のギアピンにギアを正しく組み立てた状態で示す概略断面図
（ｂ）はそのギアピンにギアを逆に挿入した時の状態を示す概略断面図
【符号の説明】
１１  シャーシ
１２  ギアピン
１２ａ、１２ｂ  テーパ部
１２ｃ  段部
１３  ギア
１４  ピン挿入穴
１４ａ、１４ｂ  テーパ部
【図１】
0004522508.tif 000002
【図２】
0004522508.tif 000003